(57)【特許請求の範囲】
【請求項１】
通常モードにおいて各々供給される電力により動作する複数の部位を備えると共に、待機モードにおいて前記複数の部位のうちで予め設定された部位が動作し、該予め設定された部位を除く部位が動作を停止する複数の電気機器の各々に対応して設けられ、対応する電気機器の前記複数の部位の各々へ電力を供給する電源部と、
互いが電気配線により接続さて前記電源部の各々に対応して設けられ、電源部が対応する電気機器の前記予め設定された部位へ供給する電力を、当該電気機器に対応する電源部の電力又は当該電気機器に対応する電源部以外の電源部から前記電気配線を介して供給される電力の一方に切り換える切換手段と、
前記待機モードの電気機器の各々から待機モードの電気機器に対応する電源部の電源効率を含む電源情報を取得する取得手段と、
取得した前記電源情報に基づき、前記待機モードの電気機器に対応する電源部から前記電源効率の最も高い電源部を選択し、選択した電源部を除く前記待機モードの電気機器の各々に対応する電源部を停止すると共に、前記選択した電源部から前記待機モードの電気機器の各々の前記予め設定された部位へ電力を供給するように前記切換手段を制御する制御手段と、
を含む電源装置。
【請求項２】
前記切換手段は、前記電気機器に対応する電源部の電力を、該電源部が対応する電気機器の前記予め設定された部位へ供給するか、又は該電源部が対応する電気機器の前記予め設定された部位及び前記電気配線へ供給するか、又は、該電源部が対応する電気機器の前記予め設定された部位へ前記電源配線を介して供給される電力を供給するか、を切り換え、
前記制御手段は、前記選択した電源部の電力を、該電源部が対応する電気機器の前記予め設定された部位及び前記電気配線へ供給するように前記選択した電源部に対応する前記切換手段を制御する、請求項１に記載の電源装置。
【請求項３】
前記選択した電源部から電力が供給されている前記待機モードの電気機器の何れかで、待機モードを終了する場合に、
前記取得手段は、前記待機モードが継続される前記電気機器に対応する電源部の前記電源情報を取得し、
前記制御手段は、取得した前記電源情報に基づき、前記電源効率の最も高い電源部を選択し、該選択した電源部の電力を、前記待機モードが継続される前記電気機器の前記予め設定された部位に供給するように前記切換手段を制御する、
請求項１又は請求項２に記載の電源装置。
【請求項４】
通常モードにおいて各々供給される電力により動作する複数の部位及び前記複数の部位の各々へ電力を供給する電源部を備えると共に、待機モードにおいて前記複数の部位のうちで予め設定された部位が動作し、該予め設定された部位を除く部位が動作を停止する複数の電気機器と、
互いが電気配線により接続さて前記複数の電気機器の各々に設けられ、該電気機器の前記予め設定された部位へ供給する電力を、該電気機器に設けられた電源部の電力又は当該電気機器以外の電気機器に設けられた電源部から前記電気配線を介して供給される電力の一方に切り換える切換手段と、
前記複数の電気機器のうちで前記待機モードの電気機器の各々から待機モードの電気機器に設けられた電源部の電源効率を含む電源情報を取得する取得手段と、
取得した前記電源情報に基づき、前記待機モードの電気機器の電源部から前記電源効率の最も高い電源部を選択し、選択した電源部を除く前記待機モードの電気機器の各々の電源部を停止すると共に、前記選択した電源部から前記接続配線を介して前記待機モードの電気機器の各々の前記予め設定された部位へ電力を供給するように前記切換手段を制御する制御手段と、
を含む電源制御システム。
【請求項５】
前記切換手段は、前記電気機器の電源部の電力を、該電源部が設けられた電気機器の前記予め設定された部位へ供給するか、又は該電源部が設けられた電気機器の前記予め設定された部位及び前記電気配線へ供給するか、又は、該電源部が設けられた電気機器の前記予め設定された部位へ前記電源配線を介して供給される電力を供給するか、を切り換え、
前記制御手段は、前記選択した電源部の電力を、該電源部が設けられた電気機器の前記予め設定された部位及び前記電気配線へ供給するように前記選択した電源部が設けられた前記電気機器の前記切換手段を制御する、請求項４に記載の電源制御システム。
【請求項６】
コンピュータを、
通常モードにおいて各々供給される電力により動作する複数の部位、前記複数の部位の各々へ電力を供給する電源部、互いが電気配線により接続さて前記複数の電気機器の各々に設けられ、該電気機器の前記予め設定された部位へ供給する電力を、該電気機器に設けられた電源部の電力又は当該電気機器以外の電気機器に設けられた電源部から前記電気配線を介して供給される電力の一方に切り換える切換手段を備え、待機モードにおいて前記複数の部位のうちで予め設定された部位が動作し、該予め設定された部位を除く部位が動作を停止する複数の電気機器のうち、前記待機モードの電気機器の各々から待機モードの電気機器の電源部の電源効率を含む電源情報を取得する取得手段と、
取得した前記電源情報に基づき、前記待機モードの電気機器の電源部から前記電源効率の最も高い電源部を選択し、選択した電源部を除く前記待機モードの電気機器の各々の電源部を停止すると共に、前記選択した電源部から前記接続配線を介して前記待機モードの電気機器の各々の前記予め設定された部位へ電力を供給するように前記切換手段を制御する制御手段と、
して機能させるための電源制御プログラム。
【発明の詳細な説明】
【技術分野】
【０００１】
本発明は、電源装置、電源制御システム、及び電源制御プログラムに関する。
【背景技術】
【０００２】
特許文献１には、画像形成装置とホストコンピュータとを、ＵＳＢ規格などの電力供給可能なインターフェイス手段によって接続しているときに、画像形成装置の待機状態では、インターフェイス手段を介してホストコンピュータから供給される電力によって動作する提案がなされている。
【先行技術文献】
【特許文献】
【０００３】
【特許文献１】特開２００１−２１１２７４号公報
【発明の概要】
【発明が解決しようとする課題】
【０００４】
本発明は、消費電力が抑えられているときに、電源を効率的に動作させる電源装置、電源制御システム、及び電源制御プログラムを提供することを目的とする。
【課題を解決するための手段】
【０００５】
上記目的を達成するための請求項１に係る電源装置は、通常モードにおいて各々供給される電力により動作する複数の部位を備えると共に、待機モードにおいて前記複数の部位のうちで予め設定された部位が動作し、該予め設定された部位を除く部位が動作を停止する複数の電気機器の各々に対応して設けられ、対応する電気機器の前記複数の部位の各々へ電力を供給する電源部と、互いが電気配線により接続さて前記電源部の各々に対応して設けられ、電源部が対応する電気機器の前記予め設定された部位へ供給する電力を、当該電気機器に対応する電源部の電力又は当該電気機器に対応する電源部以外の電源部から前記電気配線を介して供給される電力の一方に切り換える切換手段と、前記待機モードの電気機器の各々から待機モードの電気機器に対応する電源部の電源効率を含む電源情報を取得する取得手段と、取得した前記電源情報に基づき、前記待機モードの電気機器に対応する電源部から前記電源効率の最も高い電源部を選択し、選択した電源部を除く前記待機モードの電気機器の各々に対応する電源部を停止すると共に、前記選択した電源部から前記待機モードの電気機器の各々の前記予め設定された部位へ電力を供給するように前記切換手段を制御する制御手段と、を含む。
【０００６】
請求項２に係る電源装置は、請求項１の電源装置において、前記切換手段は、前記電気機器に対応する電源部の電力を、該電源部が対応する電気機器の前記予め設定された部位へ供給するか、又は該電源部が対応する電気機器の前記予め設定された部位及び前記電気配線へ供給するか、又は、該電源部が対応する電気機器の前記予め設定された部位へ前記電源配線を介して供給される電力を供給するか、を切り換え、前記制御手段は、前記選択した電源部の電力を、該電源部が対応する電気機器の前記予め設定された部位及び前記電気配線へ供給するように前記選択した電源部に対応する前記切換手段を制御する。
【０００７】
請求項３に係る電源装置は、請求項１又は請求項２の電源装置において、前記選択した電源部から電力が供給されている前記待機モードの電気機器の何れかで、待機モードを終了する場合に、前記取得手段は、前記待機モードが継続される前記電気機器に対応する電源部の前記電源情報を取得し、前記制御手段は、取得した前記電源情報に基づき、前記電源効率の最も高い電源部を選択し、該選択した電源部の電力を、前記待機モードが継続される前記電気機器の前記予め設定された部位に供給するように前記切換手段を制御する。
【０００８】
請求項４に係る電源制御システムは、通常モードにおいて各々供給される電力により動作する複数の部位及び前記複数の部位の各々へ電力を供給する電源部を備えると共に、待機モードにおいて前記複数の部位のうちで予め設定された部位が動作し、該予め設定された部位を除く部位が動作を停止する複数の電気機器と、互いが電気配線により接続さて前記複数の電気機器の各々に設けられ、該電気機器の前記予め設定された部位へ供給する電力を、該電気機器に設けられた電源部の電力又は当該電気機器以外の電気機器に設けられた電源部から前記電気配線を介して供給される電力の一方に切り換える切換手段と、前記複数の電気機器のうちで前記待機モードの電気機器の各々から待機モードの電気機器に設けられた電源部の電源効率を含む電源情報を取得する取得手段と、取得した前記電源情報に基づき、前記待機モードの電気機器の電源部から前記電源効率の最も高い電源部を選択し、選択した電源部を除く前記待機モードの電気機器の各々の電源部を停止すると共に、前記選択した電源部から前記接続配線を介して前記待機モードの電気機器の各々の前記予め設定された部位へ電力を供給するように前記切換手段を制御する制御手段と、を含む。
【０００９】
請求項５に係る電源制御システムは、請求項４の電源制御システムにおいて、前記切換手段は、前記電気機器の電源部の電力を、該電源部が設けられた電気機器の前記予め設定された部位へ供給するか、又は該電源部が設けられた電気機器の前記予め設定された部位及び前記電気配線へ供給するか、又は、該電源部が設けられた電気機器の前記予め設定された部位へ前記電源配線を介して供給される電力を供給するか、を切り換え、前記制御手段は、前記選択した電源部の電力を、該電源部が設けられた電気機器の前記予め設定された部位及び前記電気配線へ供給するように前記選択した電源部が設けられた前記電気機器の前記切換手段を制御する。
【００１０】
請求項６に係る電源制御プログラムは、コンピュータを、通常モードにおいて各々供給される電力により動作する複数の部位、前記複数の部位の各々へ電力を供給する電源部、互いが電気配線により接続さて前記複数の電気機器の各々に設けられ、該電気機器の前記予め設定された部位へ供給する電力を、該電気機器に設けられた電源部の電力又は当該電気機器以外の電気機器に設けられた電源部から前記電気配線を介して供給される電力の一方に切り換える切換手段を備え、待機モードにおいて前記複数の部位のうちで予め設定された部位が動作し、該予め設定された部位を除く部位が動作を停止する複数の電気機器のうち、前記待機モードの電気機器の各々から待機モードの電気機器の電源部の電源効率を含む電源情報を取得する取得手段と、取得した前記電源情報に基づき、前記待機モードの電気機器の電源部から前記電源効率の最も高い電源部を選択し、選択した電源部を除く前記待機モードの電気機器の各々の電源部を停止すると共に、前記選択した電源部から前記接続配線を介して前記待機モードの電気機器の各々の前記予め設定された部位へ電力を供給するように前記切換手段を制御する制御手段と、して機能させる。
【発明の効果】
【００１１】
以上説明したように請求項１、請求項４及び請求項６の発明によれば、電源効率の高い電源部の電力を用いるので、該当電源部の電源効率をさらに高くして電力消費が抑制される、という効果を有する。
【００１２】
請求項２及び請求項５の発明によれば、供給する電力の切換が容易となる、という効果を有する。
【００１３】
請求項３の発明によれば、電力消費の抑制が維持される、という効果を有する。
【図面の簡単な説明】
【００１４】
【図１】本実施の形態に係る画像形成装置の要部の構成図である。
【図２】本実施の形態に係る画像形成システムの構成図である。
【図３】処理制御部の機能ブロック図である。
【図４】（Ａ）は切換スイッチの一例を示す構成図、（Ｂ）は切換スイッチの操作パターンを示す図表である。
【図５】電源の出力電力に対する電源効率を示す線図である。
【図６】（Ａ）はメモリに記憶される電源効率情報の一例を示す図表、（Ｂ）は電源効率に対する消費電力及び消費電力、電力供給電源とされたときの電源効率を示す図表、（Ｃ）は（Ｂ）において装置Ｃを電力供給電源とした場合の消費電力を示す図表、（Ｄ）は（Ｂ）において装置Ｄを電力供給電源とした場合の消費電力を示す図表である。
【図７】画像形成装置の動作制御の一例を示す流れ図である。
【図８】待機モードにおける電力制御の基本構成を示す流れ図である。
【図９】具体的電力供給制御の一例を示す流れ図である。
【図１０】状態通知要求に対する処理の一例を示す流れ図である。
【発明を実施するための形態】
【００１５】
以下に、図面を参照しながら本発明の実施の形態を詳細に説明する。図２には、本実施の形態に係る画像形成システム１０が示されている。この画像形成システム１０は、複数の画像形成装置１２を備えている。なお、図２では、一例として４台の画像形成装置１２Ａ、１２Ｂ、１２Ｃ、１４Ｄ（以下、総称するときは、画像形成装置１２とする）を図示している。
【００１６】
画像形成システム１０では、複数の画像形成装置１２のそれぞれが、ネットワーク回線などのデータの伝送手段１６を介して接続されている。また、画像形成システム１０では、この伝送手段１６に、パーソナルコンピュータ、ワークステーションなどの情報処理端末１４が接続されている。
【００１７】
これにより、画像形成システム１０では、情報処理端末１４から印刷要求が出力されることにより、この印刷要求を受け付けた画像形成装置１２により、印刷要求に基づいた画像形成処理が行われる。
【００１８】
図１に示されるように、画像形成装置１２のそれぞれは、記録紙などの画像記録媒体に画像を形成する画像形成部１８及び、画像形成部１８を含めた装置の作動を制御する処理制御部２０を含んでいる。
【００１９】
処理制御部２０には、ＣＰＵ２２、ＲＯＭ２４、ＲＡＭ２６がバス２８に接続された制御部３０が設けられている。また、処理制御部２０には、ＨＤＤ３２などの記憶手段が設けられ、このＨＤＤ３２が、バス３４を介して制御部３０に接続されている。
【００２０】
ＣＰＵ２２は、ＲＯＭ２４やＨＤＤ３２に記憶されたプログラムを実行する。ＲＡＭ２６は、プログラム実行時のワークメモリとして利用されると共に、各種のデータの一時記憶に用いられる。なお、ＣＰＵ２２で実行されるプログラムが記憶される記憶媒体は、ＲＯＭ２４、ＨＤＤ３２に限定されず、ＣＤ−ＲＯＭ、フレキシブルディスク、ＤＶＤディスク、光磁気ディスク、ＩＣカードなどの可搬型記録媒体であっても良い。この場合、可搬型記憶媒体からプログラムを読み出すためのドライブ装置を設ければ良い。また、ＣＰＵ２２で実行されるプログラムは、ネットワークを介して接続されたデータベースに記憶されるものであっても良く、さらに電気通信回線上の搬送波などの伝送媒体によって読み込まれるものであっても良い。
【００２１】
この処理制御部２０には、接続インターフェイス部（Ｉ／Ｆ部）３６が設けられている。図２に示されるように、この接続インターフェイス部３６には、伝送手段１６が接続されている。これにより、画像形成装置１２Ａ〜１２Ｄは、情報処理端末１４と接続され、また、画像形成装置１２Ａ〜１２Ｄが相互に接続されている。
【００２２】
図１に示されるように、画像形成装置１２には、操作パネル部３８が設けられており、この操作パネル部３８が、制御部３０に接続されている。操作パネル部３８は、電力が供給されることにより動作し、画像形成装置１２の作動状態の表示及び、各種の入力操作を行うユーザーインターフェイス（ＵＩ）とされる。この操作パネル部３８では、図示しないキー操作により各種の情報が入力され、処理制御部２０が入力された情報を受け付ける。
【００２３】
一方、画像形成装置１２には、低圧電源４０及び高圧電源４２が設けられている。低圧電源４０及び高圧電源４２のそれぞれは、図示しない電源スイッチの操作により作動され、例えば、商用電源から供給される電力を予め設定された電圧の電力に変換する。低圧電源４０は予め設定された電圧（例えば直流５Ｖ）の電力を出力する。この低圧電源４０の電力は、画像形成部１８及び処理制御部２０に供給され、高圧電源４２の電力は、画像形成部１８へ供給される。処理制御部２０には、電源制御部４４が設けられており、この電源制御部４４により低圧電源４０及び高圧電源４２の作動が制御される。
【００２４】
画像形成部１８は、低圧電源４０及び高圧電源４２から供給される電力によって作動し、例えば、電子写真プロセスによって画像データに応じた画像を、記録紙などの画像形成媒体に形成する。なお、画像形成部１８は、電子写真プロセス方式に限らず各種の画像記録方式の構成を適用することができる。
【００２５】
処理制御部２０は、低圧電源４０から供給される電力によって作動して、画像形成部１８の作動を制御する。なお、図２に示されるように、以下では、画像形成装置１２Ａ〜１２Ｄの低圧電源４０を区別するときには、低圧電源４０Ａ、４０Ｂ、４０Ｃ、４０Ｄとして説明する。
【００２６】
このような画像形成装置１２は、原稿に記録された画像を読み取る画像読取り部、電話回線などを用いて画像データなどの送受信を行う回線インターフェイス部などが設けられた構成であっても良い。
【００２７】
一方、画像形成装置１２は、非処理状態が予め設定された時間以上経過すると、画像形成部１８を休止させた待機（ｓｌｅｅｐ）状態へ移行する（以下、待機モードとする）。画像形成装置１２では、この待機モードに移行する場合、高圧電源４２を停止することにより画像形成部１８を停止させる。また、画像形成装置１２では、低圧電源４０の電力を、画像形成部１８へ供給するのを停止すると共に、低圧電源４０の電力を処理制御部２０の予め設定された部位へ電力が供給されるようにする。画像形成装置１２では、待機モードで処理制御部２０の予め設定された部位へ電力が供給されることにより、待機モードでの作動が制御され、以下では、待機モードで動作される処理制御部２０の予め設定された部位を待機制御部２０Ａとする。なお、図１では、低圧電源４０及び高圧電源４２が出力する電力の供給先の図示を省略し、図２では、低圧電源４０からの電力供給のうち、待機モードでの電力供給を太線で示している。
【００２８】
画像形成装置１２では、待機モードへ移行すると、処理制御部２０の待機制御部２０Ａで予め設定された復帰条件が検出されたか否かを確認する。このときに、待機制御部２０Ａは、例えば、情報処理端末１４から出力された印刷要求を受け付けると、この印刷要求の受付けを復帰トリガとして、低圧電源４０と共に高圧電源４２を動作させて、画像形成部１８を立ち上げ、通常の動作モードへ移行（復帰）する。
【００２９】
この後に、画像形成装置１２では、低圧電源４０の電力により処理制御部２０が動作することにより印刷要求に応じた画像形成処理を実行する。なお、待機モードへの移行及び、待機モードから通常の動作モードへの復帰条件は、公知の構成を適用することができる。
【００３０】
ところで、図１及び図２に示されるように、本実施の形態に適用している画像形成システム１０では、画像形成装置１２Ａ〜１２Ｄのそれぞれに、切換スイッチ５０が設けられている。画像形成装置１２Ａ〜１２Ｄは、切換スイッチ５０に接続される電力線４６により相互に接続されている。
【００３１】
図２に示されるように、画像形成装置１２Ａ〜１２Ｄでは、切換スイッチ５０に処理制御部２０の待機制御部２０Ａ及び低圧電源４０が接続されている。また、図１に示されるように、処理制御部２０では、スイッチ制御部５２が設けられており、このスイッチ制御部５２に切換スイッチ５０が接続されている。画像形成装置１２では、スイッチ制御部５２が待機制御部２０Ａに含まれ、待機モードへ移行したときに、切換スイッチ５０が操作される。画像形成システム１２では、複数の画像形成装置１２が待機モードへ移行したときに、何れか１台の画像形成装置１２の低圧電源４０から、その画像形成装置１２の待機制御部２０Ａと他の画像形成装置１２の待機制御部２０Ａへ、待機モードでの動作に用いる電力が供給されるように切換スイッチ５０が操作される。
【００３２】
図４（Ａ）には、切換スイッチ５０の一例が示されている。本実施の形態に適用した切換スイッチ５０は、スイッチ素子５４Ａ、５４Ｂ、５４Ｃを有している。なお、このスイッチ素子５４Ａ〜５４Ｃは、スイッチング素子などの半導体スイッチを用いても良く、また、マグネットスイッチなどを用いて良く、電気信号によって回路を開閉するものであれば、これらに限るものではない。
【００３３】
スイッチ素子５４Ａ〜５４Ｃは一方の接点が互いに接続され、スイッチ素子５４Ａは、他方の設定が低圧電源４０に接続されている。また、スイッチ素子５４Ｂは、他方の設定が処理制御部２０内に形成される待機制御部２０Ａに接続され、スイッチ素子５４Ｃは、他方の接点が電力線４６に接続されている。
【００３４】
処理制御部２０は、画像形成装置１２が待機モードへ移行すると、待機制御部２０Ａが切換スイッチ５０のスイッチ素子５４Ａ〜５４Ｃを操作する。図４（Ｂ）には、このときの操作パターンが示されている。なお、図４（Ｂ）では、スイッチ素子５４Ａをスイッチ素子Ａ、スイッチ素子５４Ｂをスイッチ素子Ｂ、スイッチ素子５４Ｃをスイッチ素子Ｃと表記している。
【００３５】
図２に示されるように、画像形成装置１２では、通常の動作モードでは、切換スイッチ５０を介さずに、別系統で低圧電源４０から処理制御部２０へ電力が供給され、待機モードから動作モードへの移行及び、動作モードから待機モードへ移行するときに、電力供給系統が切換えられる。処理制御部２０は、画像形成装置１２が待機モードに移行するときに、スイッチ素子５４Ｂを閉じる（オンする）。これにより、画像形成装置１２では、待機制御部２０Ａに、自機の低圧電源４０の電力又は、電力線４６を介して入力される他機の電力が供給される。
【００３６】
また、切換スイッチ５０は、スイッチ素子５４Ａがオンされると、低圧電源４０の電力が待機制御部２０Ａに供給される。このときに、スイッチ素子５４Ｃをオンすることにより、この低圧電源４０の電力が電力線４６を介して他機へ出力される。さらに、切換スイッチ５０は、スイッチ素子５４Ａがオフしている状態で、スイッチ素子５４Ｃがオンされていると、他機の低圧電源４０の電力が、電力線４６を介して待機制御部２０Ａに供給され、待機制御部２０Ａが他機から供給される電力によって動作される。
【００３７】
すなわち、スイッチ素子５４Ａは、自機の低圧電源４０の電力を使用する場合にオンされ、他機の電力を使用する場合にオフされる。また、スイッチ素子５４Ｃは、外部から供給される電力によって待機制御部２０Ａを作動する場合及び、自機の低圧電源４０の電力を他機へ供給する場合にオンされる。なお、画像形成装置１２では、待機制御部２０Ａがスイッチ素子５４Ａをオフした後、低圧電源４０が作動を停止する。
【００３８】
一方、画像形成装置１６の低圧電源４０などの電源装置では、出力電力Ｗｏｕｔが増加すると低圧電源４０に入力される電力（入力電力Ｗｉｎ）、すなわち、低圧電源４０の消費電力も増加する。このとき、入力電力Ｗｉｎに対する出力電力Ｗｏｕｔの比率が電源効率とされ、この電源効率Ｐｅは、
Ｐｅ＝（Ｗｏｕｔ／Ｗｉｎ）×１００（％）
となる。
【００３９】
また、図５に示されるように、低圧電源４０などの電源装置では、損失が生じるために、出力電力Ｗｏｕｔ（電圧が一定な場合、出力電流）よりも入力電力Ｗｉｎが大きく、電源効率Ｐｅは、１００％以下となるが、定格電力の範囲であれば、出力電力Ｗｏｕｔが大きいほど、電源効率Ｐｅが高くなっている。
【００４０】
これに対して、低圧電源４０などの電源装置では、出力電力Ｗｏｕｔが低くなると、電源効率Ｐｅも低下する。画像形成装置１２では、画像形成を行うときに出力電力Ｗｏｕｔが大きく、このときに低圧電源４０の電源効率Ｐｅが高い値となるようにされている。また、画像形成装置１２では、待機モードへ移行することにより作動される部位が限定されていることにより電力消費が抑えられる。このために、画像形成装置１２では、待機モードへ移行すると、低圧電源４０の電源効率Ｐｅが低くなる。
【００４１】
すなわち、画像形成処理が行われるときの消費電力となる出力電力Ｗｏｕｔが電力Ｗ１、そのときの電源効率Ｐｅが電源効率Ｐ１、待機モードでの消費電力となる出力電力Ｗｏｕｔが出力電力Ｗ２、そのときの電源効率Ｐｅが電源効率Ｐ２、である場合、Ｗ１＞Ｗ２、Ｐ１＞Ｐ２となる。また、出力電力Ｗｏｕｔが、出力電力Ｗ２より高いと（Ｗｏｕｔ＞Ｗ２）、電源効率Ｐｅは電源効率Ｐ２より高くなる（Ｐｅ＞Ｐ２）。
【００４２】
ここから、画像形成システム１０では、待機モードに移行している複数の画像形成装置１２の待機制御部２０Ａへ、何れか一つの画像形成装置１２の低圧電源４０から供給する。このとき、画像形成システム１０では、待機モードとなっている画像形成装置１２の中で最も電源効率Ｐｅの高い低圧電源４０を用いるようにしている。
【００４３】
画像形成システム１０に適用する画像形成装置１２Ａ〜１２Ｄには、機器を特定する識別子（以下、装置ＩＤとする）が付与される。また、画像形成装置１２は、待機モードで動作するときの消費電力である低圧電源４０の出力電力Ｗｏｕｔ）、そのときの入力電力Ｗｉｎに相当する待機モードでの低圧電源４０の消費電力が予め求められ、ここから、低圧電源４０の電源効率Ｐｅが求められている。
【００４４】
図１に示されるように、画像形成装置１２の処理制御部２０には、不揮発性のメモリ５６が設けられ、このメモリ５６が待機制御部２０Ａに含まれる。なお、このメモリ５６としては、ＨＤＤ３４を用いることができるが、電力消費を抑制することを考慮すると、ＥＥＰＲＯＭなどの半導体メモリを用いることが好ましい。
【００４５】
画像形成装置１２では、メモリ５６に、自機を特性する装置ＩＤと共に、待機モードでの自機の消費電力Ｗ、電源効率Ｐｅが、電源効率情報として記憶される。また、画像形成装置１２では、メモリ５６に、他の画像形成装置１２ごとに、装置ＩＤと共に、待機モードでの処理制御部２０（待機制御部２０Ａ）の消費電力Ｗ及び低圧電源４０の電源効率Ｐｅが、電源効率情報として記憶される。
【００４６】
図３には、この電源効率情報を用いた待機モードでの電源制御を示す機能ブロック図が示されている。待機制御部２０Ａには、情報受付部５８が形成されている。画像形成装置１２では、電源効率情報が、伝送手段１６を介して接続インターフェイス部３６に入力されるか、操作パネル部３８のキー操作によって入力される。情報取得部５８は、入力された画像形成装置１２ごとの電源効率情報を取得すると、取得した電源効率情報をメモリ５６に格納する。
【００４７】
また、待機制御部２０Ａには、状態情報取得部６０、電源設定部６２及び通知部６４が設けられている。状態情報取得部６０は、自機が待機モードへ移行すると、他の画像形成装置１２が待機モードに移行しているか否かを状態情報として取得する。
【００４８】
電源設定部６２は、状態情報取得部６０で取得した状態情報から、待機モードに移行している画像形成装置１２を判定し、その画像形成装置１２の電源効率情報をメモリ５６から読み出す。また、電源設定部６２は、読み出した電源効率情報から、自機を含めて、電源効率Ｐｅの高い低圧電源４０を備えた画像形成装置１２を選択し、選択した画像形成装置１２の低圧電源４０を電力供給電源に設定する。通知部６４は、この設定結果を、待機モードに移行している画像形成装置１２に通知する。
【００４９】
一方、待機制御部２０Ａには、設定取得部６６及び電源切換部６８が設けられている。図１に示されるように電源切換部６８は、電源制御部４４及びスイッチ制御部５２を含んで構成され、電源切換部６８には、低圧電源４０及び切換スイッチ５０が接続されている。
【００５０】
図３に示される待機制御部２０Ａでは、電源設定部６２が、自機で電力供給電源を設定して通知するのに対し、他機で電力供給電源が設定されて通知されたときに、この通知を設定取得部６６で取得する。
【００５１】
電源切換部６８は、電源設定部６２での電力供給電源の設定又は他機での電力供給電源の設定に基づいて、低圧電源４０及び切換スイッチ５０を操作する。ここで、電力供給電源として自機の低圧電源４０が設定されると、低圧電源４０を作動させると共に、この低圧電源４０の電力を自機の待機制御部２０Ａ及び他の画像形成装置１２に供給されるように切換スイッチ５０を操作する。すなわち、スイッチ素子５４Ａ〜５４Ｃをオンする。
【００５２】
また、電源切換部６８は、他の画像形成装置１２の低圧電源４０を電力供給電源として設定されていると、自機の低圧電源４０を停止すると共に、待機制御部２０Ａに電力線４６を介して電力が供給されるように切換スイッチ５０を操作する。すなわち、待機制御部２０Ａは、スイッチ素子５４Ａをオフすると共に、スイッチ素子５４Ｂ、５４Ｃをオンする。なお、待機モードとなる画像形成装置１２が自機だけであれば、自機の低圧電源４０の電力が、自機の待機制御部２０Ａに供給されるように切換スイッチ５０が操作される（スイッチ素子５４Ａ、５４Ｂをオン、スイッチ素子５４Ｃをオフ）。
【００５３】
以下に、待機モードへ移行した画像形成装置１２での処理を説明する。画像形成システム１０に設けられる画像形成装置１２では、それぞれに対して装置ＩＤが設定され、装置ＩＤに基づいて画像形成装置１２ごとの電源効率情報がメモリ５６に記憶される。
【００５４】
例えば、画像形成装置１２Ａ、１２Ｂ、１２Ｃ、１２Ｄの待機モードでそれぞれが単体で動作する場合の電源効率Ｐｅが、２０％、３０％、５０％、４０％とされると、図６（Ａ）に示される電源効率情報がメモリ５６に記憶される。なお、図６では、画像形成装置１２Ａ、１２Ｂ、１２Ｃ、１２Ｄをそれぞれ装置Ａ、装置Ｂ、装置Ｃ、装置Ｄと表記している。
【００５５】
画像形成システム１０では、新たな画像形成装置１２が設置される場合、新たに設置される画像形成装置１２又は情報処理装置１４の何れかから、新たに設置される画像形成装置１２の装置ＩＤと、該当画像形成装置１２の電源効率情報を、伝送手段１６を介して各画像形成装置１２に通知しても良い。
【００５６】
画像形成装置１２は、電源スイッチをオンすることにより、低圧電源４０及び高圧電源４２が作動され、情報処理端末１４から印刷要求に応じた画像形成処理が行われる。なお、画像形成装置１２として画像読取り機能及び画像データの送受信機能を含むものであっても良く、このときには、例えば、情報処理端末１４から受け付けた処理要求及び操作パネル部３８で受け付けた処理要求を実行する構成であれば良い。
【００５７】
このような画像形成装置１２では、非処理状態が継続すると高圧電源４２を停止した待機状態とするなどして電力消費を抑えた待機モードへ移行する。図７には、このときの処理の一例が示されている。
【００５８】
このフローチャートは、画像形成装置１２の電源スイッチがオンされることにより開始され、電源スイッチがオフされて装置の稼動が停止されることにより終了し、最初のステップ１００で、非処理状態の継続時間の計測を開始する。これと共に、ステップ１０２では、処理要求を受け付けたか否かを確認する。
【００５９】
ここで、処理要求を受け付けると、ステップ１０２で肯定判定してステップ１０４へ移行し、受け付けた処理を実行する。また、ステップ１０６では、処理が終了したか否かを確認し、処理が終了するとステップ１０６で肯定判定してステップ１００へ移行し、新たに時間計測を開始する。
【００６０】
一方、ステップ１０８では、非処理状態の継続時間が予め設定されている時間に達した否かを確認し、予め設定されている時間に達すると、ステップ１０８で肯定判定してステップ１１０へ移行する。
【００６１】
このステップ１１０では、処理制御部２０の予め設定された部位となる待機制御部２０Ａへ電力を供給しながら、新たな処理要求が入力されるまで待機する待機モードに移行する。このときに、ステップ１１２では、高圧電源４２を停止して、画像形成部１８への電力供給を停止するなどして、画像形成部１８への電力供給を停止する。
【００６２】
この後、ステップ１１４では、処理要求を受け付けるなどの復帰条件を検出したか否かを確認し、復帰条件を検出すると、ステップ１１４で肯定判定してステップ１１６へ移行する。このステップ１１６では、待機モードから通常の動作モードに設定し、高圧電源４０の作動を開始するなどして、画像形成部１６及び処理制御部２０が通常動作されるようにする（ステップ１１８）。この後、ステップ１０４へ移行し要求された処理を実行する。
【００６３】
ところで、画像形成システム１０に設けた画像形成装置１２は、待機モードに移行すると、処理制御部２０に形成している待機制御部２０Ａに低圧電源４０の電力を供給して、待機制御部２０Ａを動作状態とする。このときに、画像形成システム１０では、待機モードに移行した画像形成装置１２の何れかの低圧電源４０の電力を用いて動作されるようにしている。
【００６４】
図８には、画像形成システム１０における画像形成装置１２の待機モードでの電力供給制御の基本構成が示されている。このフローチャートでは、最初のステップ１３０で、待機モードに移行する画像形成装置１２があるか否かを確認する。このときに、待機モードへ移行する画像形成装置１２があれば、ステップ１３０で肯定判定して、ステップ１３２へ移行し、待機モードとなっている画像形成装置１２の電源効率を取得する。
【００６５】
次のステップ１３４では、待機モードとなっている画像形成装置１２の中で、電源効率の最も高い画像形成装置１２を選択し、ステップ１３６では、選択した画像形成装置１２を、電力供給電源に設定する。この後、ステップ１３８では、待機モードとなっている各画像形成装置１２のそれぞれで、電力供給電源の設定に基づいて、低圧電源４０及び切換スイッチ５０を操作する。
【００６６】
このとき、電力供給電源に設定された画像形成装置１２では、低圧電源４０を動作状態とすると共に、この低圧電源４０の電力が、自機の待機制御部２０Ａと他の画像形成装置１２に供給されるように切換スイッチ５０を操作する。また、それ以外の待機モードの画像形成装置１２では、低圧電源４０を停止すると共に、電力線４６を介して入力される電力が待機制御部２０Ａへ供給されるように切換スイッチ５０を操作する。
【００６７】
これにより、電力供給電源として設定された画像形成装置１２の低圧電源４０の電力が、待機モードに移行している各画像形成装置１２の待機制御部２０Ａに供給されて作動される。
【００６８】
この後、ステップ１４０では、待機モードを終了する画像形成装置１２があるか否かを確認して、待機モードを終了する画像形成装置１２があれば、ステップ１４０で肯定判定してステップ１４２へ移行し、待機モードが継続される画像形成装置１２があるか否かを確認する。
【００６９】
これにより、待機モードが継続される画像形成装置１２があれば、ステップ１４２で肯定判定してステップ１３２へ移行し、待機モードの画像形成装置１２の中で、その電源効率に基づいて電力供給電源となる画像形成装置１２が設定される。
【００７０】
このように画像形成システム１０では、待機モードに移行している画像形成装置１２の中で、電源効率の最も高い低圧電源４０を用いて、各画像形成装置１２が待機モードで動作されるようにしている。
【００７１】
図９には、具体例を示している。このフローチャートは、画像形成装置１２で待機モードに移行するように設定される（例えば、図７のステップ１１０）ことにより実行され、先ず、画像形成システム１０に設けられている他の画像形成装置１２に対して、待機モードか否かの状態情報の通知を要求し、ステップ１５２では、この要求に基づいた通知を受け付ける。
【００７２】
画像形成装置１２では、装置の稼動を開始すると、他の画像形成装置１２加らの通知の受け付けと、受け付けた通知に対する応答処理を行う。図１０には、このときの一例とする状態情報の通知要求に対する処理を示している。
【００７３】
このフローチャートでは、ステップ２００で状態情報の要求通知を受け付けたか否かを確認し、状態情報の通知要求を受け付けるとステップ２００で肯定判定してステップ２０２へ移行する。
【００７４】
このステップ２０２では、自機が待機モードであるか否かの状態情報を取得し、ステップ２０４で、取得した状態情報が待機モードであることを示す情報であるか否かを確認する。
【００７５】
ここで、自機が待機モードであるときには、ステップ２０４で肯定判定してステップ２０６へ移行し、待機モードであることを、要求元へ通知する。また、待機モードでないときには、ステップ２０４で否定判定してステップ２０８へ移行し、待機モードでないことを要求元へ通知する。なお、待機モードか否かの通知要求に対しては、待機モードであるときに、待機モードであることを通知するものであっても良い。また、この通知を行うときには、自機の装置ＩＤを付加し、通知元が特定されるようにすればよい。
【００７６】
図９のフローチャートでは、ステップ１５２で各画像形成装置１２から応答を受け付けると、ステップ１５４へ移行し、自機を含めて待機モードである各画像形成装置１２の電源効率情報の電源効率Ｐｅを読み出す。
【００７７】
次のステップ１５６では、読み出した電源効率Ｐｅから、電源効率Ｐｅの最も高い低圧電源４０を備えた画像形成装置１２を選択し、ステップ１５８では、選択した画像形成装置１２の低圧電源４０を、待機モードにおける電力供給電源に設定する。
【００７８】
例えば、図６（Ａ）に示される電源効率において、自機を含めて画像形成装置１２Ａ（装置Ａ）、１２Ｂ（装置Ｂ）、１２Ｃ（装置Ｃ）、１２Ｄ（装置Ｄ）の４台が、待機モードである場合、電源効率Ｐｅが５０％となっている画像形成装置１２Ｃが電力供給電源に設定される（図６（Ｃ）参照）。また、画像形成装置１２Ａ、１２Ｂ、１２Ｄが待機モードとなっているときには、画像形成装置１２Ｄが電力供給電源に設定される（図６（Ｄ）参照。
【００７９】
電力供給電源を設定すると、図９のステップ１６０では、待機モードとなっている画像形成装置１２に、電力供給電源とする画像形成装置１２の設定を通知する。
【００８０】
この後、ステップ１６２では、自機が電力供給電源に設定されているか否かを確認する。このとき、自機の低圧電源４０が電力供給電源に設定されていると、ステップ１６２で肯定判定して、ステップ１６４へ移行する。このステップ１６４では、低圧電源４０を動作状態として、ステップ１６６では、この低圧電源４０の電力が待機制御部２０Ａ及び他の画像形成装置１２へ供給されるように切換スイッチ５０を操作する。
【００８１】
これに対して、自機の低圧電源４０が電力供給電源に設定されていなければ、ステップ１６２で否定判定してステップ１６８へ移行し、低圧電源４０を停止すると共に、電力線４６を介して入力される電力が待機制御部２０Ａへ供給されるように切換スイッチ５０を操作する（ステップ１７０）。これにより、画像形成装置１２では、電力供給電源として設定された他の画像形成装置１２から自機の待機制御部２０Ａに待機用の電力が供給される。
【００８２】
このようにして待機モードに移行すると、ステップ１７２では、新たな電力供給電源の設定の通知を受け付けたか否かを確認する。また、ステップ１７４では、自機が待機モードを終了するように設定されたか否かを待つ。
【００８３】
画像形成システム１０では、待機モードに移行している画像形成装置１２に変更があった場合、待機モードが継続される画像形成装置１２の中から、電力供給電源となる画像形成装置１２が設定される。例えば、他の画像形成装置１２が新たに待機モードに移行することにより、該当画像形成装置１２でステップ１５０からステップ１６０が実行されることにより、電力供給電源となる画像形成装置１２が通知される。
【００８４】
このとき、通知を受けた画像形成装置１２では、ステップ１７２で肯定判定し、ステップ１６２へ移行することにより、通知に基づいた低圧電源４０および切換スイッチ５０が行われる。
【００８５】
一方、待機モードを終了するように設定された場合（例えば、図７のステップ１１６）、ステップ１７４で肯定判定される。これにより、ステップ１７６に移行すると、自機が電力供給電源に設定されているか否かを確認する。なお、自機が電力供給電源となっているか否か、すなわち、自機の低圧電源４０の電力を他の画像形成装置１２へ供給しているか否かの確認は、例えば、低圧電源４０が作動しているか否かを確認するようにしても良く、また、切換スイッチ５０のスイッチ素子５４Ａの状態を確認してもよい。
【００８６】
ここで、自機の低圧電源４０の電力を他の画像形成装置１２へ供給していなければ、ステップ１７６で否定判定してステップ１７８へ移行する。このときには、自機の低圧電源４０が停止しているので、ステップ１７８で低圧電源４０を作動させる。これと共に、ステップ１８０では、切換スイッチ５０をオフして、電力供給電源とされている画像形成装置１２からの電力供給が停止されるようにする。
【００８７】
これに対して、自機が電力供給電源に設定されている場合には、ステップ１７６で肯定判定してステップ１８２へ移行する。このステップ１８２では、他の画像形成装置１２に状態情報の通知要求を行い、ステップ１８４では、この通知要求に基づいた状態情報の通知を取得する。
【００８８】
この後、ステップ１８６では、待機モードとなっている画像形成装置１２があるか否かを確認し、待機モードが継続している画像形成装置１２がなければ、ステップ１８６で否定判定してステップ１８０へ移行する。
【００８９】
また、待機モードとなっている画像形成装置１２が残っている場合、ステップ１８６で肯定判定してステップ１８８へ移行する。このステップ１８８では、待機モードとなっている画像形成装置１２の電源効率情報から電源効率Ｐｅを読み出し、電源効率Ｐｅの高い画像形成装置１２を新たな電力供給電源に選択して（ステップ１９０）、設定する（ステップ１９２）。
【００９０】
この後、ステップ１９４では、新たな設定を待機モードの画像形成装置１２へ通知することにより、新たに電力供給電源に設定された画像形成装置１２で低圧電源４０及び切換スイッチ５０の操作が行われる。
【００９１】
これにより、画像形成装置１２Ａ、１２Ｂ、１２Ｃ、１２Ｄの電源効率Ｐｅが、２０％、３０％、５０％、４０％とされるとき（図６（Ａ）参照）、図６（Ｂ）に示されるように、それぞれの低圧電源４０Ａ、４０Ｂ、４０Ｃ、４０Ｄの出力電力Ｗｏｕｔとなる処理制御部２２の消費電力が、各２Ｗであるとする。この場合、画像形成装置１２Ａ〜１２Ｄが、単独で低圧電源４０Ａ〜４０Ｄを使用すると、電源効率Ｐｅと消費電力から、低圧電源４０Ａ〜４０Ｄの入力電力Ｗｉｎとなる消費電力は、１０Ｗ、６．７Ｗ、４Ｗ、５Ｗとなる。また、このときの消費電力（入力電力Ｗｉｎ）の総計は２５．７Ｗとなる。
【００９２】
ここで、画像形成装置１２Ａ、１２Ｂ、１２Ｃ、１２Ｄのそれぞれで、他の３台の画像形成装置１２が待機モードで使用する電力をまかなった場合、低圧電源４０Ａ、４０Ｂ、４０Ｃ、４０Ｄの電源効率Ｐｅが、４０％、５０％、７０％となるとする。
【００９３】
このときに、画像形成システム１０では、画像形成装置１２Ａ〜１２Ｄが待機モードに移行すると、電力供給電源としては、画像形成装置１２Ｃ（低圧電源４０Ｃ）が設定される。
【００９４】
この場合、図６（Ｃ）に示されるように、低圧電源４０Ｃの電源効率Ｐｅが７０％であると、低圧電源４０Ｃの入力電力Ｗｉｎとなる消費電力は、１１Ｗとなる。これにより、画像形成装置１２Ａ〜１２Ｄで個別に低圧電源４０Ａ〜４０Ｄを動作させた場合に比べて、消費電力を１４．７Ｗ（５６％）低減させる。
【００９５】
また、画像形成システム１０では、画像形成装置１２Ａ、１２Ｂ、１２Ｄが待機モードに移行すると、電力供給電源としては、画像形成装置１２Ｄ（低圧電源４０Ｄ）が設定される。
【００９６】
この場合、図６（Ｄ）に示されるように、低圧電源４０Ｄの電源効率Ｐｅが６０％であると、低圧電源４０Ｄの入力電力Ｗｉｎとなる消費電力は、１０Ｗとなる。これにより、画像形成装置１２Ａ、１２Ｂ、１２Ｄで個別に低圧電源４０Ａ、４０Ｂ、４０Ｄを動作させた場合の消費電力２１．７Ｗから、消費電力を１１．７Ｗ（５４％）低減させることができる。
【００９７】
このように、画像形成システム１０では、複数の画像形成装置１２が低圧電源４０の電力負荷の一部（予め設定された部位を除く部位）の作動を停止する待機モードに移行したときに、電源効率Ｐｅの高い画像形成装置１２の低圧電源４０を用いて、待機モードに移行している他の画像形成装置１２へ電力を供給するので、画像形成装置１２が個別に低圧装置４０を作動する場合に比べて、電源効率が高くなる。これにより、画像形成システム１０としての消費電力を抑えることができる。
【００９８】
また、画像形成装置１２では、切換スイッチ５０を用いて、待機制御部２０Ａへの電力の供給元を切換えるので、電力の切換えを容易にかつ円滑に行うことができる。
【００９９】
さらに、画像形成システム１０では、何れかの画像形成装置１２が、待機モードから通常の動作モードに復帰するときに、待機モードが継続される画像形成装置１２の低圧電源４０の中で、最も電源効率を選択するので、消費電力の抑制を維持することができる。
【０１００】
以上の説明では、画像形成装置１２にメモリ５６を設けて、このメモリ５６に自機の電源効率情報を記憶すると共に、他の画像形成装置１２の電源効率情報を記憶するようにしているが、これに限らず、メモリ５６には、自機の電源効率情報を記憶し、他の画像形成装置１２の電源効率情報は、状態情報の通知要求を行うときに、電源効率情報の通知要求を行い、これにより取得される電源効率情報に含まれる電源効率を用いても良い。
【０１０１】
また、以上の説明では、待機モードに移行する画像形成装置１２が、電力供給電源を設定するようにしたが、これに限らず、電力供給電源に設定された低圧電源を備えた画像形成装置１２が電源管理装置となり、待機モードへ移行する画像形成装置１２が、電源管理装置となる画像形成装置１２に、待機モードの移行と電源効率情報を通知し、電源管理装置となる画像形成装置１２が、この通知に基づいて新たな電力供給電源となる画像形成装置を設定し、設定した画像形成装置が電源管理装置として動作するようにしても良い。
【０１０２】
この場合、最初に待機モードに移行した画像形成装置１２が電源管理装置となり、他の画像形成装置１２が待機モードに移行したときに、その画像形成装置１２の電源効率が低い場合は、電源管理装置としての機能が保持され、電源効率の高い画像形成装置１２が待機モードとなったときには、その画像形成装置１２に電源管理装置としての機能を移管すれば良い。
【０１０３】
また、電源管理装置となっている画像形成装置１２が、待機モードから通常の動作モードに移行する場合には、残った画像形成装置１２の中で、電源効率の高い画像形成装置１２に電源管理装置として機能を移管するようにすれば良い。
【０１０４】
また、以上の説明では、画像形成装置１２の何れかが電力供給電源を設定するようにしたが、例えば、情報処理端末１４の一つに電源管理装置の機能を持たせるか、電源管理用のサーバを画像形成システム１０に設けるようにしても良い。
【０１０５】
この場合、画像形成装置１２は、待機モードに移行するとき、及び待機モードから復帰するときに、電源管理装置へ通知して、電源管理装置では、待機モードが継続される画像形成装置１２の中で、電源効率の高い画像形成装置１２を電力供給電源に設定すれば良い。
【０１０６】
一方、多数の画像形成装置１２の待機モードでの電力を、１台の画像形成装置１２の低圧電源４０から供給する場合、低圧電源４０の定格出力電力よりも負荷が大きくなってしまうことがある。この場合、電源管理装置又は電源管理装置として機能する画像形成装置１２に負荷管理機能を持たせ、新たな画像形成装置１２が待機モードに移行したときに、低圧電源４０の負荷を超える場合、新たに待機モードに移行した画像形成装置１２に対しては、自機の低圧電源４０を用いて単独で動作するようにすれば良い。
【０１０７】
このとき、複数の画像形成装置１２が単独で動作していれば、単独で動作している画像形成装置１２の間で、電力供給電源となる画像形成装置１２を設定するようにしてもよい。
【０１０８】
また、画像形成システム１０では、画像形成装置１２が待機モードに移行する場合、及び、待機モードから通常モードに移行する場合に、他の画像形成装置１２へ通知するようにしたが、これに限らず、例えば、何れかの画像形成装置１２に電源管理機能を持たせるか、電源管理機能を有する電源管理装置を画像形成装置１２と別に設ける場合、電源管理装置が、予め設定された条件で各画像形成装置１２の状態通知を要求し、この要求に応じた通知から検出するようにしても良い。
【０１０９】
なお、以上説明した本実施の形態は、画像形成システム１０及び画像形成装置１２を例に説明したが、それぞれが電源と電源の電力により作動する電力負荷を備えた複数の電源装置を用い、それぞれの電源装置で、待機モードなどの電力消費を抑える機能を有するものであれば、画像形成システム及び画像形成装置に限るものではない。
【符号の説明】
【０１１０】
１０    画像形成システム
１２（１２Ａ〜１２Ｄ）    画像形成装置
１８    画像形成部
２０    処理制御部
２０Ａ    待機制御部
３０    制御部
４０（４０Ａ〜４０Ｄ）    低圧電源
４４    電源制御部
４６    電力線
５０    切換スイッチ
５２    スイッチ制御部
５６    メモリ
５８    情報受付部
６０    状態情報取得部
６２    電源設定部
６４    通知部
６６    設定取得部
６８    電源切換部
【図１】
0005458712.tif 000002
【図２】
0005458712.tif 000003
【図３】
0005458712.tif 000004
【図４】
0005458712.tif 000005
【図５】
0005458712.tif 000006
【図６】
0005458712.tif 000007
【図７】
0005458712.tif 000008
【図８】
0005458712.tif 000009
【図９】
0005458712.tif 000010
【図１０】
0005458712.tif 000011